(57)【要約】  制御装置（２００）は、発電部（１６０）の予想発電量の推移、電力供給部（１１０）の予想電力供給量の推移、及び現在の蓄電池（１２０）の蓄電量に基づいて、配電網（３００）から蓄電池（１２０）に電力を供給し続けた場合の蓄電池（１２０）の予想蓄電量の推移を算出する。そして制御装置（２００）は、蓄電池（１２０）の予想蓄電量の推移において、予想蓄電量が第１基準容量を超え始める時刻である第１時刻があることが示されたときに、配電網（３００）が蓄電池（１２０）に電力を供給しない時間帯である電力減少時間帯を設定し、かつ電力減少時間帯の終了時刻を第１時刻にする。
2012086167.tif 000002
【特許請求の範囲】
【請求項１】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
前記配電手段を制御する制御手段と、
を備え、
前記制御手段は、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力を供給し続けた場合の前記蓄電手段の予想蓄電量の推移を算出する第１処理と、
前記蓄電手段の予想蓄電量の推移において、前記予想蓄電量が第１基準容量を超え始める時刻である第１時刻があることが示されたときに、前記配電手段から前記蓄電手段への電力供給が減少または中断する時間帯である電力減少時間帯を設定する第２処理と、
を行う急速充電システム。
【請求項２】
請求項１に記載の急速充電システムにおいて、
前記制御手段は、前記第２処理において、
前記電力減少時間帯を設定したときの前記第１時刻における前記予想蓄電量を算出し、算出した前記予想蓄電量が前記蓄電手段の前記第１基準容量より少なくなるか否かを判断する処理を、前記電力減少時間帯の開始時刻を所定時間単位で早めつつ繰り返し行い、算出した前記予想蓄電量が前記第１基準容量より少なくなったときに第２処理を終了する急速充電システム。
【請求項３】
請求項１又は２に記載の急速充電システムにおいて、
前記制御手段は、前記蓄電手段の前記第１基準容量として、第１の時間帯で用いられる第１の値と、前記第１の時間帯より遅い第２の時間帯で用いられる第２の値と、を有しており、
前記第１の値は、前記蓄電手段の最大容量であり、
前記第２の値は、前記急速充電システムにおいて必要とされる最低限度の値である急速充電システム。
【請求項４】
請求項３に記載の急速充電システムにおいて、
前記第２の時間帯は、前記配電網から供給される電力の料金として深夜電力料金が適用される時間帯の直前であり、
前記第１の時間帯は、一日のうち前記第２の時間帯を除いた時間帯である急速充電システム。
【請求項５】
請求項１〜４のいずれか一項に記載の急速充電システムにおいて、
前記制御手段は、前記電力減少時間帯が設定された後、
前記発電手段の予想発電量の推移、前記電力供給手段の予想電力供給量の推移、及び現在の前記蓄電手段の蓄電量に基づいて、前記配電手段が前記電力減少時間帯を除いて前記蓄電手段に電力を供給し続けた場合の前記蓄電手段の予想蓄電量の推移を算出する第３処理と、
前記蓄電手段の予想蓄電量の推移において、前記予想蓄電量が、前記第１基準容量より低い値に設定されている第２基準容量を下回り始める時刻である第２時刻があることが示されたときに、前記電力減少時間帯を短くする第４処理と、
を行う急速充電システム。
【請求項６】
請求項５に記載の急速充電システムにおいて、
前記制御手段は、前記第４処理において、
前記電力減少時間帯を設定したときの前記第２時刻における前記予想蓄電量を算出し、算出した前記予想蓄電量が前記蓄電手段の前記第２基準容量より多くなるか否かを判断する処理を、前記電力減少時間帯を所定時間単位で短くしつつ繰り返し行い、算出した前記予想蓄電量が前記第２基準容量より多くなったときに第４処理を終了する急速充電システム。
【請求項７】
請求項１〜６のいずれか一項に記載の急速充電システムにおいて、
前記電力供給手段による電力供給量及び前記発電手段による発電量それぞれの標準的な推移を示すテンプレートデータを記憶しているテンプレート記憶手段をさらに備え、
前記制御手段は、前記テンプレートデータを用いて前記予想発電量の推移及び前記予想電力供給量の推移を認識する急速充電システム。
【請求項８】
請求項７に記載の急速充電システムにおいて、
前記電力供給手段による電力供給量及び前記発電手段による発電量それぞれの履歴データを記憶する履歴記憶手段と、
前記履歴データに基づいて前記電力供給量及び前記発電量それぞれの前記テンプレートデータを生成するテンプレート生成手段と、
をさらに備える急速充電システム。
【請求項９】
請求項１〜８のいずれか一項に記載の急速充電システムにおいて、
前記発電手段は太陽電池である急速充電システム。
【請求項１０】
請求項１〜９のいずれか一項に記載の急速充電システムにおいて、
前記急速充電システムは給電スタンドであり、
前記他の機器は電気自動車である急速充電システム。
【請求項１１】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
前記配電手段を制御する制御手段と、
を備え、
前記制御手段は、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１処理と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２処理と、
を行う急速充電システム。
【請求項１２】
請求項１１に記載の急速充電システムにおいて、
前記制御手段は、前記第２処理において、
前記電力供給時間帯を設定したときの前記第２時刻における前記予想蓄電量を算出し、算出した前記予想蓄電量が前記蓄電手段の前記第２基準容量より多くなるか否かを判断する処理を、前記電力供給時間帯の開始時刻を所定時間単位で早めつつ繰り返し行い、算出した前記予想蓄電量が前記第２基準容量より多くなったときに第２処理を終了する急速充電システム。
【請求項１３】
請求項１１又は１２に記載の急速充電システムにおいて、
前記制御手段は、前記電力供給時間帯が設定された後、
前記発電手段の予想発電量の推移、前記電力供給手段の予想電力供給量の推移、及び現在の前記蓄電手段の蓄電量に基づいて、前記配電手段が前記電力供給時間帯において前記蓄電手段へ電力を供給し続けた場合の前記蓄電手段の予想蓄電量の推移を算出する第３処理と、
前記蓄電手段の予想蓄電量の推移において、前記予想蓄電量が、前記第２基準容量より高い値に設定されている第１基準容量を上回り始める時刻である第１時刻があることが示されたときに、前記電力供給時間帯を短くする第４処理と、
を行う急速充電システム。
【請求項１４】
請求項１３に記載の急速充電システムにおいて、
前記制御手段は、前記第４処理において、
前記電力供給時間帯を設定したときの前記第１時刻における前記予想蓄電量を算出し、算出した前記予想蓄電量が前記蓄電手段の前記第１基準容量より少なくなるか否かを判断する処理を、前記電力供給時間帯を所定時間単位で短くしつつ繰り返し行い、算出した前記予想蓄電量が前記第１基準容量より少なくなったときに第４処理を終了する急速充電システム。
【請求項１５】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置であって、
前記発電手段の予想発電量の推移、前記電力供給手段の予想電力供給量の推移、及び現在の前記蓄電手段の蓄電量に基づいて、前記予想発電量及び前記予想電力供給量がそれぞれ前記推移通りであり、かつ前記配電網から前記蓄電手段に設定通りに電力を供給し続けた場合の前記蓄電手段の予想蓄電量の推移を算出する第１処理と、
前記蓄電手段の予想蓄電量の推移において、前記予想蓄電量が第１基準容量を超え始める時刻である第１時刻があることが示されたときに、前記配電手段から前記蓄電手段への電力供給量が減少または中断する時間帯である電力減少時間帯を設定する第２処理と、
を行う制御装置。
【請求項１６】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置であって、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１処理と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２処理と、
を行う制御装置。
【請求項１７】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムにおける蓄電量を、制御装置を用いて制御する制御方法であって、
前記制御装置が、
前記発電手段の予想発電量の推移、前記電力供給手段の予想電力供給量の推移、及び現在の前記蓄電手段の蓄電量に基づいて、前記予想発電量及び前記予想電力供給量がそれぞれ前記推移通りであり、かつ前記配電網から前記蓄電手段に設定通りに電力を供給し続けた場合の前記蓄電手段の予想蓄電量の推移を算出する第１処理と、
前記蓄電手段の予想蓄電量の推移において、前記予想蓄電量が第１基準容量を超え始める時刻である第１時刻があることが示されたときに、前記配電手段から前記蓄電手段への電力供給量が減少または中断する時間帯である電力減少時間帯を設定する第２処理と、を行う蓄電量の制御方法。
【請求項１８】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムにおける蓄電量を、制御装置を用いて制御する制御方法であって、
前記制御装置が、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１処理と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２処理と、
を行う蓄電量の制御方法。
【請求項１９】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置を実現するためのプログラムであって、
コンピュータに、
前記発電手段の予想発電量の推移、前記電力供給手段の予想電力供給量の推移、及び現在の前記蓄電手段の蓄電量に基づいて、前記予想発電量及び前記予想電力供給量がそれぞれ前記推移通りであり、かつ前記配電網から前記蓄電手段に設定通りに電力を供給し続けた場合の前記蓄電手段の予想蓄電量の推移を算出する第１機能と、
前記蓄電手段の予想蓄電量の推移において、前記予想蓄電量が第１基準容量を超え始める時刻である第１時刻があることが示されたときに、前記配電手段から前記蓄電手段への電力供給量が減少または中断する時間帯である電力減少時間帯を設定する第２機能と、
を実現させるプログラム。
【請求項２０】
蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置を実現するためのプログラムであって、
コンピュータに、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１機能と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２機能と、
を実現させるプログラム。
【発明の詳細な説明】
【技術分野】
【０００１】
本発明は、蓄電池が蓄電している電力を他の機器のバッテリに供給する急速充電システム、制御装置、蓄電量の制御方法、及びプログラムに関する。
【背景技術】
【０００２】
近年、環境に対する負荷を減らすことを目的として、電気自動車の開発が進められている。一方で、電気自動車を普及させるためには、電気自動車に電力を供給する給電スタンドを開発する必要がある。一方で、環境に対する負荷を低減することを目的として、太陽光発電などの再生利用エネルギーを活用することが求められている。【０００３】
特許文献１には、太陽光発電及び風力発電による電力を蓄電しておき、蓄電されている電力を用いて電気自動車の蓄電池を充電することが記載されている。
【先行技術文献】
【特許文献】
【０００４】
【特許文献１】特開２００８−１３１８４１号公報
【発明の概要】
【発明が解決しようとする課題】
【０００５】
電気自動車等の機器が有するバッテリに電力を充電する場合、電力会社が構築している配電網や、再生可能エネルギーを用いて発電を行う発電装置から直接充電すると、配電網から供給される単位時間当たりの電力量が大きくなりすぎてしまう。このため、予め蓄電池に電力を充電しておき、この蓄電池から機器のバッテリを充電することが望ましい。蓄電池の蓄電量が不足することを抑制するためには、蓄電池の蓄電量を常に１００％にするのが好ましい。しかし、蓄電池の蓄電量が常に１００％になるように配電網からの電力供給を制御すると、再生可能エネルギーを用いて発電した電力が、蓄電池に充電できないタイミングが出てくる恐れがある。【０００６】
本発明の目的は、再生可能エネルギーを用いて発電した電力を可能な限り蓄電手段に蓄電することができ、かつバッテリに電力を供給するときに蓄電手段の蓄電量が不足することを抑制できる急速充電システム、制御装置、蓄電量の制御方法、及びプログラムを提供することにある。
【課題を解決するための手段】
【０００７】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
前記配電手段を制御する制御手段と、
を備え、
前記制御手段は、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力を供給し続けた場合の前記蓄電手段の予想蓄電量の推移を算出する第１処理と、
前記蓄電手段の予想蓄電量の推移において、前記予想蓄電量が第１基準容量を超え始める時刻である第１時刻があることが示されたときに、前記配電手段から前記蓄電手段への電力供給が減少または中断する時間帯である電力減少時間帯を設定する第２処理と、
を行う急速充電システムが提供される。【０００８】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
前記配電手段を制御する制御手段と、
を備え、
前記制御手段は、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１処理と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２処理と、
を行う急速充電システムが提供される。【０００９】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置であって、
前記発電手段の予想発電量の推移、前記電力供給手段の予想電力供給量の推移、及び現在の前記蓄電手段の蓄電量に基づいて、前記予想発電量及び前記予想電力供給量がそれぞれ前記推移通りであり、かつ前記配電網から前記蓄電手段に設定通りに電力を供給し続けた場合の前記蓄電手段の予想蓄電量の推移を算出する第１処理と、
前記蓄電手段の予想蓄電量の推移において、前記予想蓄電量が第１基準容量を超え始める時刻である第１時刻があることが示されたときに、前記配電手段から前記蓄電手段への電力供給量が減少または中断する時間帯である電力減少時間帯を設定する第２処理と、
を行う制御装置が提供される。【００１０】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置であって、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１処理と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２処理と、
を行う制御装置が提供される。【００１１】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムにおける蓄電量を、制御装置を用いて制御する制御方法であって、
前記制御装置が、
前記発電手段の予想発電量の推移、前記電力供給手段の予想電力供給量の推移、及び現在の前記蓄電手段の蓄電量に基づいて、前記予想発電量及び前記予想電力供給量がそれぞれ前記推移通りであり、かつ前記配電網から前記蓄電手段に設定通りに電力を供給し続けた場合の前記蓄電手段の予想蓄電量の推移を算出する第１処理と、
前記蓄電手段の予想蓄電量の推移において、前記予想蓄電量が第１基準容量を超え始める時刻である第１時刻があることが示されたときに、前記配電手段から前記蓄電手段への電力供給量が減少または中断する時間帯である電力減少時間帯を設定する第２処理と、を行う蓄電量の制御方法が提供される。【００１２】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムにおける蓄電量を、制御装置を用いて制御する制御方法であって、
前記制御装置が、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１処理と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２処理と、
を行う蓄電量の制御方法が提供される。【００１３】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置を実現するためのプログラムであって、
コンピュータに、
前記発電手段の予想発電量の推移、前記電力供給手段の予想電力供給量の推移、及び現在の前記蓄電手段の蓄電量に基づいて、前記予想発電量及び前記予想電力供給量がそれぞれ前記推移通りであり、かつ前記配電網から前記蓄電手段に設定通りに電力を供給し続けた場合の前記蓄電手段の予想蓄電量の推移を算出する第１機能と、
前記蓄電手段の予想蓄電量の推移において、前記予想蓄電量が第１基準容量を超え始める時刻である第１時刻があることが示されたときに、前記配電手段から前記蓄電手段への電力供給量が減少または中断する時間帯である電力減少時間帯を設定する第２機能と、
を実現させるプログラムが提供される。【００１４】
本発明によれば、蓄電手段と、
前記蓄電手段が蓄電している電力を他の機器のバッテリに供給する電力供給手段と、
配電網の電力を前記蓄電手段に配電して蓄電させる配電手段と、
再生可能エネルギーを用いて発電し、発電した電力を前記蓄電手段に蓄電する発電手段と、
を備える急速充電システムに用いられ、前記配電網から前記蓄電手段への電力供給を制御する制御装置を実現するためのプログラムであって、
コンピュータに、
前記発電手段の予想発電量の推移、前記電力供給手段の予想電力供給量の推移、及び現在の前記蓄電手段の蓄電量に基づいて、前記発電手段の発電量及び前記電力供給手段の電力供給量がそれぞれ前記推移通りであり、かつ前記配電網から前記蓄電手段に設定通りに電力供給を中断し続けた場合の前記蓄電手段の予想蓄電量の推移を算出する第１機能と、
前記蓄電手段の予想蓄電量の推移において、前記予想蓄電量が第２基準容量を下回り始める時刻である第２時刻があることが示されたときに、前記配電手段から前記蓄電手段への電力供給を行う時間帯である電力供給時間帯を設定する第２機能と、
を実現させるプログラムが提供される。
【発明の効果】
【００１５】
本発明によれば、再生可能エネルギーを用いて発電した電力を可能な限り蓄電手段に蓄電することができ、かつバッテリに電力を供給するときに蓄電手段の蓄電量が不足することを抑制できる。
【図面の簡単な説明】
【００１６】
上述した目的、およびその他の目的、特徴および利点は、以下に述べる好適な実施の形態、およびそれに付随する以下の図面によってさらに明らかになる。【００１７】
【図１】第１の実施形態に係る急速充電システムの構成を示すブロック図である。
【図２】テンプレート記憶部が記憶しているデータの構成をテーブル形式で示す図である。
【図３】制御装置による蓄電池の蓄電量の制御方法の概略を説明するためのチャートである。
【図４】制御装置の制御部が行う第１の制御を説明するフローチャートである。
【図５】図４のステップＳ６０の詳細を示すフローチャートである。
【図６】図５に示した処理を具体的に説明するための表図である。
【図７】制御装置の制御部が行う第２の制御を説明するフローチャートである。
【図８】図７のステップＳ２６０の詳細を示すフローチャートである。
【図９】第２の実施形態に係る急速充電システムの構成を示すブロック図である。
【図１０】第３の実施形態に係る急速充電システムが行う処理を説明するためのフローチャートである。
【図１１】第３の実施形態に係る急速充電システムが行う処理を説明するためのフローチャートである。
【図１２】第３の実施形態に係る急速充電システムが行う処理を説明するためのフローチャートである。
【図１３】第３の実施形態に係る急速充電システムが行う処理を説明するためのフローチャートである。
【発明を実施するための形態】
【００１８】
以下、本発明の実施の形態について、図面を用いて説明する。尚、すべての図面において、同様な構成要素には同様の符号を付し、適宜説明を省略する。
【００１９】
（第１の実施形態）
図１は、第１の実施形態に係る急速充電システムの構成を示すブロック図である。この急速充電システムは、蓄電池１２０、電力供給部１１０、配電部（ＡＣ／ＤＣコンバータ）１５０、発電部１６０、及び制御装置２００を備えている。電力供給部１１０は、蓄電池１２０が蓄電している電力を他の機器のバッテリ４００に供給する。ＡＣ／ＤＣコンバータ１５０は、配電網３００の電力を蓄電池１２０に配電して蓄電させる。発電部１６０は、再生可能エネルギーを用いて発電し、発電した電力を蓄電池１２０に蓄電する。発電部１６０は、例えば太陽電池であるが、風力発電機であってもよい。制御装置２００は、ＡＣ／ＤＣコンバータ１５０又はＤＣ／ＤＣコンバータ１４０を制御することにより、配電網３００から蓄電池１２０への電力供給を制御する。なお発電部１６０による発電量は、原理的に、制御装置２００によって制御できないものである。
【００２０】
制御装置２００は、発電部１６０の予想発電量の推移、電力供給部１１０の予想電力供給量の推移、及び現在の蓄電池１２０の蓄電量に基づいて、発電部１６０の発電量及び電力供給部１１０の電力供給量がそれぞれ推移通りであり、かつ配電網３００から蓄電池１２０に設定通りに電力を供給し続けた場合の蓄電池１２０の予想蓄電量の推移を算出する。そして制御装置２００は、蓄電池１２０の予想蓄電量の推移において、予想蓄電量が第１基準容量を超え始める時刻である第１時刻があることが示されたときに、配電部３００から蓄電池１２０への電力供給が減少または中断する時間帯である電力減少時間帯を設定する。電力供給時間帯の終了時刻は、例えば第１時刻である。このため、発電部１６０が発電した電力を可能な限り蓄電池１２０に蓄電することができ、かつバッテリ４００に電力を供給するときに蓄電池１２０の蓄電量が不足することを抑制できる。以下、詳細に説明する。
【００２１】
配電網３００は、例えば電力会社が電力を供給するための配電網であり、交流電源となっている。一方、蓄電池１２０は直流電源である。このため、配電網３００と蓄電池１２０の間にはＡＣ／ＤＣコンバータ１５０及びＤＣ／ＤＣコンバータ１４０がこの順に設けられている。また蓄電池１２０は、ＤＣ／ＤＣコンバータ１４０及びＤＣ／ＤＣコンバータ１３０を介して電力供給部１１０に接続している。制御装置２００は、ＤＣ／ＤＣコンバータ１４０を制御することにより、蓄電池１２０からバッテリ４００に電力を供給する。また制御装置２００は、ＡＣ／ＤＣコンバータ１５０及びＤＣ／ＤＣコンバータ１４０を制御することにより、配電網３００から蓄電池１２０への電力供給を制御する。
【００２２】
発電部１６０とＤＣ／ＤＣコンバータ１４０の間には、ＤＣ／ＤＣコンバータ１７０が設けられている。発電部１６０は、発電した電力を、ＤＣ／ＤＣコンバータ１７０，１４０を介して蓄電池１２０に蓄電する。
【００２３】
制御装置２００は、制御部２１０及びテンプレート記憶部２２０を有している。制御部２１０は、上記した各コンバータを制御する。テンプレート記憶部２２０は、電力供給部１１０による電力供給量の標準的な推移を示す第１テンプレートデータと、発電部１６０による発電量の標準的な推移を示す第２テンプレートデータを記憶している。第１テンプレートデータは、例えば一日の中で単位時間当たりの電力供給量がどのように推移するかを示している。第２テンプレートデータは、例えば一日の中で単位時間当たりの発電量がどのように推移するかを示している。制御部２１０は、後述するようにこれらのテンプレートデータを用いて、配電網３００から蓄電池１２０への電力供給を制御する。なお制御部２１０は、配電網３００から蓄電池１２０に電力を供給して充電するとき、単位時間当たりの充電量を一定量、例えば最大値にする。
【００２４】
この急速充電システムは、例えば電気自動車の給電スタンドとして用いられる。この場合、バッテリ４００は電気自動車のバッテリになる。
【００２５】
なお、図１に示した制御装置２００の各構成要素は、ハードウエア単位の構成ではなく、機能単位のブロックを示している。制御装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウェアの任意の組合せによって実現される。そして、その実現方法、装置には様々な変形例がある。
【００２６】
図２は、テンプレート記憶部２２０が記憶しているデータの構成をテーブル形式で示す図である。テンプレート記憶部２２０は、時期別に第１テンプレートデータ（予想供給電力量テンプレート）及び第２テンプレートデータ（予想発電量テンプレート）を記憶している。ここで「時期」とは、例えば月単位であってもよいし、月日単位であってもよいし、曜日単位であってもよい。さらには月別に曜日単位でテンプレートデータが設けられていてもよい。
【００２７】
図３は、制御装置２００による蓄電池１２０の蓄電量の制御方法の概略を説明するためのチャートである。上記したように、急速充電システムは、発電部１６０の予想発電量と、電力供給部１１０による予想電力供給量に基づいて、配電網３００から蓄電池１２０に電力を供給し続けた場合の蓄電池１２０の予想蓄電量の推移を算出する。そして制御装置２００は、この予想蓄電量が第１基準容量を超えないように、配電網３００から蓄電池１２０への電力供給を制御する。
【００２８】
本実施形態において制御装置２００は、第１基準容量として、第１の値（第１の第１基準容量）と、第２の値（第２の第１基準容量）を有している。第１の第１基準容量は、第１の時間帯で用いられる。第２の第１基準容量は、前記第１の時間帯より遅い第２の時間帯で用いられる。そして第１の第１基準容量は、蓄電池１２０の最大容量（１００％）であり、第２の第１基準容量は、急速充電システムにおいて必要とされる最低量である。この値は、その急速充電システムの用途及び立地によって個々に変わるものであるが、例えば蓄電池１２０の最大容量の半分以下（５０％以下）の値である。
【００２９】
具体的には、第２の時間帯は、配電網３００から供給される電力の料金として深夜電力料金が適用される時間帯の直前である。そして第１の時間帯は、一日のうち第２の時間帯を除いた時間帯である。なお図３において、第２の時間帯の開始時刻を２０時としているが、この時刻は制御により設定される時刻であるため、可変である。
【００３０】
このように制御装置２００は、深夜電力料金が適用される時間帯の直前において、第１基準容量を相対的に低い第２の第１基準容量に設定する。このため、深夜電力料金が適用される時間帯の直前で、蓄電池１２０の蓄電量は少なくなる。そして深夜電力料金が適用される時間帯に入ると、制御装置２００は、相対的に高い第１の第１基準容量を第１基準容量に設定する。従って、深夜電力料金が適用される時間帯において、配電網３００から蓄電池１２０に供給される電力量を多くすることができる。
【００３１】
図４は、制御装置２００の制御部２１０が行う第１の制御を説明するフローチャートである。本図は、電力減少時間帯の設定処理を示している。制御部２１０は、図４に示す処理を、一定時間毎、例えば数十ミリ秒〜数百ミリ秒毎に行う。
【００３２】
まず制御部２１０は、現在の時刻より一単位時間（たとえば１０分）先の時刻を、計算対象時刻に設定する。また制御部２１０は、計算対象時刻を認識して、第１の基準容量として、第１の第１基準容量を用いるか、第２の第１基準容量を用いるかを決定する。
【００３３】
そして制御部２１０は、蓄電池１２０から蓄電池１２０の現在の蓄電量を取得する（ステップＳ１０）。次いで制御部２１０は、テンプレート記憶部２２０から第１テンプレートデータを読み出して、現在時刻から計算対象時刻までの電力供給部１１０による予想電力供給量、すなわちどの程度蓄電池１２０からバッテリ４００へ電力を供給する必要があると予想されるかを、算出する（ステップＳ２０）。また制御部２１０は、テンプレート記憶部２２０から第２テンプレートデータを読み出して、現在時刻から計算対象時刻までの発電部１６０による予想発電量を算出する（ステップＳ３０）。
【００３４】
そして制御部２１０は、現在時刻から計算対象時刻までの間は常に配電網３００から蓄電池１２０に電力が供給されていると仮定して、配電網３００から蓄電池１２０への電力供給量を算出する。なお、既に電力減少時間帯が設定されている場合、制御部２１０は、電力減少時間帯には電力供給が行われないと仮定して、配電網３００から蓄電池１２０への電力供給量を算出する。
【００３５】
そして制御部２１０は、算出した電力供給量と、ステップＳ３０で算出した予想発電量を現在の蓄電量に加え、さらにこの値からステップＳ２０で算出した予想電力供給量を減ずる。このようにして、制御部２１０は、計算対象時刻における予想蓄電量を算出する（ステップＳ４０）。
【００３６】
制御部２１０は、ステップＳ４０で算出した予想蓄電量が、第１基準容量を超えているか否かを判断する（ステップＳ５０）。予想蓄電量が第１基準容量を超えている場合（ステップＳ５０：Ｙｅｓ）、制御部２１０は、配電網３００から蓄電池１２０に電力が供給されない時間帯である電力減少時間帯を設定する処理を行い（ステップＳ６０）、その後、ステップＳ７０に進む。また予想蓄電量が第１基準容量を超えていない場合（ステップＳ５０：Ｎｏ）、制御部２１０はステップＳ７０に進む。
【００３７】
ステップＳ７０において、制御部２１０は、計算対象時刻は、現在時刻から予め定められた時間先、例えば２４時間先であるか否かを判断する。計算対象時刻が現在時刻から予め定められた時間先である場合（ステップＳ７０：Ｙｅｓ）、制御部２１０は処理を終了する。計算対象時刻が現在時刻から予め定められた時間先でない場合（ステップＳ７０：Ｎｏ）、制御部２１０は、計算対象時刻を一単位時間（例えば１０分）進めた上で（ステップＳ８０）、ステップＳ２０に戻る。
【００３８】
図５は、図４のステップＳ６０、すなわち電力減少時間帯の設定処理の詳細を示すフローチャートである。まず制御部２１０は、電力減少時間帯の終了時刻を、現在の計算対象時刻に設定する（ステップＳ１０２）。
【００３９】
次いで制御部２１０は、現在の計算対象時刻より一単位時間（例えば１０分）戻った時刻を、電力減少時間帯の開始時刻の初期値として設定する（ステップＳ１０４）。次いで制御部２１０は、電力減少時間帯を設定した後の、現在時刻から計算対象時刻までの間における、配電網３００から蓄電池１２０への電力供給量を算出する。そして制御部２１０は、算出した電力供給量と、ステップＳ３０で算出した予想発電量と、を現在の蓄電量に加え、さらにこの値からステップＳ２０で算出した予想電力供給量を減ずる。このようにして、制御部２１０は、計算対象時刻における予想蓄電量の更新値を算出する（ステップＳ１０６）。
【００４０】
制御部２１０は、更新後の予想蓄電量が、第１基準容量以下である場合（ステップＳ１０８：Ｙｅｓ）、電力減少時間帯の設定処理を終了する。また制御部２１０は、更新後の予想蓄電量も第１基準容量を超えている場合（ステップＳ１０８：Ｎｏ）、電力減少時間帯の開始時刻を、一単位時間早めた（ステップＳ１１０）上で、ステップＳ１０６に戻る。
【００４１】
図６は、図５に示した処理を具体的に説明するための表図である。本図に示す例において、現在の時刻は７時であり、現在の蓄電池１２０の蓄電量は４１ｋｗｈである。そして蓄電池１２０の最大容量は５０ｋｗｈであり、５０ｋｗｈが第１の基準容量に設定されている。
【００４２】
本図に示す例において、制御部２１０は、各時刻における予想蓄電量を１０分単位で算出する。そして図６（ａ）に示すように、計算対象時刻が７時５０分までは、予想蓄電量が第１の基準容量以下（５０ｋｗｈ以下）であるため、図５に示した処理は行われない。
【００４３】
しかし図６（ａ）に示すように、計算対象時刻が８時になると、８時における予想蓄電量が第１の基準容量を超えるため、図５に示した処理が行われる。具体的には、制御部２１０は、７時５０分から８時の間における配電網からの電力供給量を０に設定する。これによっても、８時における予想蓄電量が第１の基準容量を超えるため、制御部２１０は、７時４０分から７時５０分の間における配電網からの電力供給量も０に設定する。これによっても、８時における予想蓄電量が第１の基準容量を超えるため、制御部２１０は、７時３０分から７時４０分の間における配電網からの電力供給量も０に設定する。これにより、図６（ｂ）に示すように、８時における予想蓄電量が第１の基準容量以下になるため、制御部２１０は図５に示した処理を終了する。
【００４４】
図７は、制御装置２００の制御部２１０が行う第２の制御を説明するフローチャートである。図４〜図６に示した処理において、制御部２１０は、蓄電池１２０の容量が第１基準容量を超えるか否かのみを判断している。このため、発電部１６０による発電量が予想を下回ったり、蓄電池１２０からバッテリ４００への電力供給量が予想を超えていたりすると、蓄電池１２０の蓄電量が不足し、バッテリ４００に電力を供給できなくなる可能性が出てくる。このような場合、図４，５に示した処理において設定された電力減少時間帯を短くする必要がある。図７は、設定済みの電力減少時間帯を短くする処理である。制御部２１０は、図７に示す処理を、一定時間毎、例えば数十ミリ秒〜数百ミリ秒毎に行う。
【００４５】
まず制御部２１０は、現在の時刻より一単位時間（たとえば１０分）先の時刻を、計算対象時刻に設定する。また制御部２１０は、第２基準容量を認識する。第２基準容量は、蓄電池１２０の容量がこれより低くなるとバッテリ４００への電力供給に支障が生じるという量であり、上記した第１の第１基準容量より低い値に設定されている。
【００４６】
そして制御部２１０は、蓄電池１２０から蓄電池１２０の現在の蓄電量を取得する（ステップＳ２１０）。次いで制御部２１０は、テンプレート記憶部２２０から第１テンプレートデータを読み出して、現在時刻から計算対象時刻までの予想電力供給量を算出する（ステップＳ２２０）。また制御部２１０は、テンプレート記憶部２２０から第２テンプレートデータを読み出して、現在時刻から計算対象時刻までの予想発電量を算出する（ステップＳ２３０）。
【００４７】
なお、図４に示したステップＳ１０〜ステップＳ３０までの処理結果が制御部２１０に残っている場合、ステップＳ２１０〜ステップＳ２３０間での処理は省略することができる。
【００４８】
そして制御部２１０は、現在時刻から計算対象時刻までの間は、電力減少時間帯を除いて、常に配電網３００から蓄電池１２０に電力が供給されていると仮定して、配電網３００から蓄電池１２０への電力供給量を算出する。そして制御部２１０は、算出した電力供給量と、ステップＳ２３０で算出した予想発電量と、を現在の蓄電量に加え、さらにこの値からステップＳ２２０で算出した予想電力供給量を減ずる。このようにして、制御部２１０は、計算対象時刻における予想蓄電量を算出する（ステップＳ２４０）。
【００４９】
ここで制御部２１０は、ステップＳ２４０で算出した予想蓄電量が、第２基準容量を下回るか否かを判断する（ステップＳ２５０）。第２基準容量を下回る場合（ステップＳ２５０：Ｙｅｓ）。制御部２１０は、電力減少時間帯を短くする処理（更新処理）を行い（ステップＳ２６０）、その後ステップＳ２７０に進む。また第２基準容量を下回っていない場合（ステップＳ２５０：Ｎｏ）、制御部２１０はステップＳ２７０に進む。
【００５０】
ステップＳ２７０において、制御部２１０は、計算対象時刻は、現在時刻から予め定められた時間先、例えば２４時間先であるか否かを判断する。計算対象時刻が現在時刻から予め定められた時間先である場合（ステップＳ２７０：Ｙｅｓ）、制御部２１０は処理を終了する。計算対象時刻が現在時刻から予め定められた時間先でない場合（ステップＳ２７０：Ｎｏ）、制御部２１０は、計算対象時刻を一単位時間（例えば１０分）進めた上で（ステップＳ２８０）、ステップＳ２２０に戻る。
【００５１】
図８は、図７のステップＳ２６０、すなわち電力減少時間帯を短くする処理の詳細を示すフローチャートである。まず制御部２１０は、電力減少時間帯の終了時刻を、一単位時間、たとえば１０分早める（ステップＳ２６２）。次いで制御部２１０は、電力減少時間帯を短くした後の、現在時刻から計算対象時刻までの間における、配電網３００から蓄電池１２０への電力供給量を算出する。そして制御部２１０は、算出した電力供給量と、ステップＳ２３０で算出した予想発電量とを現在の蓄電量に加え、さらにこの値からステップＳ２２０で算出した予想電力供給量を減ずる。このようにして、制御部２１０は、計算対象時刻における予想蓄電量の更新値を算出する（ステップＳ２６４）。
【００５２】
制御部２１０は、更新後の予想蓄電量が、第２基準容量以上である場合（ステップＳ２６６：Ｙｅｓ）、電力減少時間帯を短くする処理を終了する。また制御部２１０は、更新後の予想蓄電量も第２基準容量を下回る場合（ステップＳ２６６：Ｎｏ）、ステップＳ２６２に戻る。
【００５３】
なおステップＳ２６２では、電力減少時間帯の開始時刻を、一単位時間、たとえば１０分遅くしてもよい。
【００５４】
次に、本実施形態の作用及び効果について説明する。本実施形態において、制御装置２００の制御部２１０は、計算対象時刻における蓄電池１２０の予想蓄電量を算出する。この予想蓄電量には、発電部１６０の予想発電量が加味されている。そして制御部２１０は、予想蓄電量が第１基準容量を超えないように、配電網３００から蓄電池１２０への電力供給量を制御する。従って、再生可能エネルギーを用いて発電部１６０が発電した電力を可能な限り蓄電池１２０に蓄電することができる。また第１基準容量を高い値、例えば蓄電池１２０の最大容量に設定することにより、バッテリ４００に電力を供給するときに蓄電池１２０の蓄電量が不足することを抑制できる。
【００５５】
また制御部２１０は、深夜電力料金が適用される時間帯の直前において、第１基準容量を相対的に低い第２の第１基準容量に設定し、さらに深夜電力料金が適用される時間帯に入ると、第１基準容量を相対的に高い第１の第１基準容量に設定する。このため、深夜電力料金が適用される時間帯において、配電網３００から蓄電池１２０に供給される電力量を多くすることができる。
【００５６】
さらに制御部２１０には、第２基準容量が設定されている。第２基準容量は第１基準容量より低い値であり、蓄電池１２０の容量がこれより低くなるとバッテリ４００への電力供給に支障が生じるという値である。そして制御部２１０は、電力減少時間帯を設定した後、蓄電池１２０の予想蓄電量が第２基準容量を下回らないように、必要に応じて電力減少時間帯を短くする。従って、蓄電池１２０の蓄電量が不足することを抑制できる。
【００５７】
（第２の実施形態）
図９は、第２の実施形態に係る急速充電システムの構成を示すブロック図である。本実施形態に係る急速充電システムは、履歴記憶部２３０及びテンプレート生成部２４０を備える点を除いて、第１の実施形態に係る急速充電システムと同様である。
【００５８】
履歴記憶部２３０は、電力供給部１１０による電力供給量及び発電部１６０による発電量それぞれの履歴データを、電力供給部１１０及び発電部１６０から取得して記憶する。テンプレート生成部２４０は、履歴記憶部２３０が記憶している履歴データに基づいて、電力供給量及び発電量それぞれのテンプレートデータを定期的に生成し、テンプレート記憶部２２０が記憶しているテンプレートデータを更新する。テンプレート生成部２４０は、例えば履歴データを、時期別に平均化することにより、テンプレートを生成する。
【００５９】
本実施形態によっても、第１の実施形態と同様の効果を得ることができる。またテンプレート生成部２４０は、履歴データを用いて、テンプレート記憶部２２０が記憶しているテンプレートデータを定期的に更新する。従って、制御部２１０による制御の精度が高くなる。
【００６０】
（第３の実施形態）
図１０〜図１３は、第３の実施形態に係る急速充電システムが行う処理を説明するためのフローチャートである。本実施形態に係る急速充電システムの機能構成は、第１の実施形態又は第２の実施形態と同様であるため、説明を省略する。本実施形態において、急速充電システムの制御装置２００の制御部２１０は、予め、電力供給を中断する電力供給中断時間帯を設定している。そして制御部２１０は、蓄電池１２０の蓄電量が不足すると予想される場合に、電力供給中断時間帯を設定している。そして制御部２１０は、蓄電池１２０の蓄電量が不足すると予想される場合に、電力供給中断時間帯の長さを少なくする処理を行う。以下、フローチャートを用いて処理の一例を説明する。
【００６１】
図１０は、本実施形態において制御装置２００の制御部２１０が行う第１の制御を説明するフローチャートである。制御部２１０は、図４に示す処理を、一定時間毎、例えば数十ミリ秒〜数百ミリ秒毎に行う。
【００６２】
まず制御部２１０は、現在の時刻より一単位時間（たとえば１０分）先の時刻を、計算対象時刻に設定する。そして制御部２１０は、蓄電池１２０から蓄電池１２０の現在の蓄電量を取得する（ステップＳ３１０）。次いで制御部２１０は、テンプレート記憶部２２０から第１テンプレートデータを読み出して、現在時刻から計算対象時刻までの電力供給部１１０による予想電力供給量、すなわちどの程度蓄電池１２０からバッテリ４００へ電力を供給する必要があると予想されるかを、算出する（ステップＳ３２０）。また制御部２１０は、テンプレート記憶部２２０から第２テンプレートデータを読み出して、現在時刻から計算対象時刻先までの発電部１６０による予想発電量を算出する（ステップＳ３３０）。
【００６３】
そして制御部２１０は、現在時刻から計算対象時刻までの間は配電網３００から蓄電池１２０に電力が供給されないと仮定する。そして制御部２１０は、ステップＳ３３０で算出した予想発電量を現在の蓄電量に加え、さらにこの値からステップＳ３２０で算出した予想電力供給量を減ずる。このようにして、制御部２１０は、計算対象時刻における予想蓄電量を算出する（ステップＳ３４０）。
【００６４】
制御部２１０は、ステップＳ３４０で算出した予想蓄電量が、第２基準容量を下回っているか否かを判断する（ステップＳ３５０）。予想蓄電量が第２基準容量を下回っている場合（ステップＳ３５０：Ｙｅｓ）、制御部２１０は、配電網３００から蓄電池１２０に電力が供給される時間帯である電力供給時間帯を設定する処理を行い（ステップＳ３６０）、その後、ステップＳ３７０に進む。また予想蓄電量が第２基準容量を下回らない場合（ステップＳ３５０：Ｎｏ）、制御部２１０はステップＳ３７０に進む。
【００６５】
ステップＳ３７０において、制御部２１０は、計算対象時刻は、現在時刻から予め定められた時間先、例えば２４時間先であるか否かを判断する。計算対象時刻が現在時刻から予め定められた時間先である場合（ステップＳ３７０：Ｙｅｓ）、制御部２１０は処理を終了する。計算対象時刻が現在時刻から予め定められた時間先でない場合（ステップＳ３７０：Ｎｏ）、制御部２１０は、計算対象時刻を一単位時間（例えば１０分）進めた上で（ステップＳ３８０）、ステップＳ３２０に戻る。
【００６６】
図１１は、図１０のステップＳ３６０、すなわち電力供給時間帯の設定処理の詳細を示すフローチャートである。まず制御部２１０は、電力供給時間帯の終了時刻を、現在の計算対象時刻に設定する（ステップＳ３６２）。
【００６７】
次いで制御部２１０は、現在の計算対象時刻より一単位時間（例えば１０分）戻った時刻を、電力供給時間帯の開始時刻の初期値として設定する（ステップＳ３６４）。次いで制御部２１０は、電力供給時間帯を設定した後の、現在時刻から計算対象時刻までの間における、配電網３００から蓄電池１２０への電力供給量を算出する。そして制御部２１０は、算出した電力供給量と、ステップＳ３３０で算出した予想発電量と、を現在の蓄電量に加え、さらにこの値からステップＳ３２０で算出した予想電力供給量を減ずる。このようにして、制御部２１０は、計算対象時刻における予想蓄電量の更新値を算出する（ステップＳ３６６）。
【００６８】
制御部２１０は、更新後の予想蓄電量が、第２基準容量以上である場合（ステップＳ３６８：Ｙｅｓ）、電力供給時間帯の設定処理を終了する。また制御部２１０は、更新後の予想蓄電量も第２基準容量を下回る場合（ステップＳ３６８：Ｎｏ）、電力供給時間帯の開始時刻を、一単位時間早めた（ステップＳ３６９）上で、ステップＳ３６６に戻る。
【００６９】
図１２は、制御装置２００の制御部２１０が行う第２の制御を説明するフローチャートである。図１０及び図１１に示した処理において、制御部２１０は、蓄電池１２０の容量が第２基準容量を下回るか否かのみを判断している。このため、発電部１６０による発電量が予想を上回ったり、蓄電池１２０からバッテリ４００への電力供給量が予想を下回ったりすると、蓄電池１２０の蓄電量が多くなりすぎる可能性が出てくる。このような場合、図１０，１１に示した処理において設定された電力供給時間帯を短くする必要がある。図１２は、設定済みの電力供給時間帯を短くする処理である。制御部２１０は、図１２に示す処理を、一定時間毎、例えば数十ミリ秒〜数百ミリ秒毎に行う。
【００７０】
まず制御部２１０は、現在の時刻より一単位時間（たとえば１０分）先の時刻を、計算対象時刻に設定する。また制御部２１０は、第１基準容量を認識する。第１基準容量は、第２基準容量より高い値に設定されている。
【００７１】
そして制御部２１０は、蓄電池１２０から蓄電池１２０の現在の蓄電量を取得する（ステップＳ４１０）。次いで制御部２１０は、テンプレート記憶部２２０から第１テンプレートデータを読み出して、現在時刻から計算対象時刻までの予想電力供給量を算出する（ステップＳ４２０）。また制御部２１０は、テンプレート記憶部２２０から第２テンプレートデータを読み出して、現在時刻から計算対象時刻までの予想発電量を算出する（ステップＳ４３０）。
【００７２】
なお、図１０に示したステップＳ３１０〜ステップＳ３３０までの処理結果が制御部２１０に残っている場合、ステップＳ４１０〜ステップＳ４３０間での処理は省略することができる。
【００７３】
そして制御部２１０は、現在時刻から計算対象時刻までの間は、電力供給時間帯のみ配電網３００から蓄電池１２０に電力が供給されていると仮定して、配電網３００から蓄電池１２０への電力供給量を算出する。そして制御部２１０は、算出した電力供給量と、ステップＳ４３０で算出した予想発電量と、を現在の蓄電量に加え、さらにこの値からステップＳ４２０で算出した予想電力供給量を減ずる。このようにして、制御部２１０は、計算対象時刻における予想蓄電量を算出する（ステップＳ４４０）。
【００７４】
ここで制御部２１０は、ステップＳ４４０で算出した予想蓄電量が、第１基準容量を上回るか否かを判断する（ステップＳ４５０）。第１基準容量を上回る場合（ステップＳ４５０：Ｙｅｓ）、制御部２１０は、電力供給時間帯を短くする処理（更新処理）を行い（ステップＳ４６０）、その後ステップ４７０に進む。また第１基準容量を上回っていない場合（ステップＳ４５０：Ｎｏ）、制御部２１０はステップＳ４７０に進む。
【００７５】
ステップＳ４７０において制御部２１０は、計算対象時刻は、現在時刻から予め定められた時間先、例えば２４時間先であるか否かを判断する。計算対象時刻が現在時刻から予め定められた時間先である場合（ステップＳ４７０：Ｙｅｓ）、制御部２１０は処理を終了する。計算対象時刻が現在時刻から予め定められた時間先でない場合（ステップＳ４７０：Ｎｏ）、制御部２１０は、計算対象時刻を一単位時間（例えば１０分）進めた上で（ステップＳ４８０）、ステップＳ４２０に戻る。
【００７６】
図１３は、図１２のステップＳ４６０、すなわち電力供給時間帯を短くする処理の詳細を示すフローチャートである。まず制御部２１０は、電力供給時間帯の終了時刻を、一単位時間、たとえば１０分早める（ステップＳ４６２）。次いで制御部２１０は、電力供給時間帯を短くした後の、現在時刻から計算対象時刻までの間における、配電網３００から蓄電池１２０への電力供給量を算出する。そして制御部２１０は、算出した電力供給量と、ステップＳ４３０で算出した予想発電量とを現在の蓄電量に加え、さらにこの値からステップＳ４２０で算出した予想電力供給量を減ずる。このようにして、制御部２１０は、計算対象時刻における予想蓄電量の更新値を算出する（ステップＳ４６４）。
【００７７】
制御部２１０は、更新後の予想蓄電量が、第１基準容量以下である場合（ステップＳ４６６：Ｙｅｓ）、電力供給時間帯を短くする処理を終了する。また制御部２１０は、更新後の予想蓄電量も第１基準容量を上回る場合（ステップＳ４６６：Ｎｏ）、ステップＳ４６２に戻る。
【００７８】
なおステップＳ４６２では、電力供給時間帯の開始時刻を、一単位時間、たとえば１０分遅くしてもよい。
【００７９】
本実施形態によっても、再生可能エネルギーを用いて発電部１６０が発電した電力を可能な限り蓄電手段に蓄電することができる。また第１基準容量を高い値、例えば蓄電池１２０の最大容量に設定することにより、バッテリ４００に電力を供給するときに蓄電池１２０の蓄電量が不足することを抑制できる。
【００８０】
以上、図面を参照して本発明の実施形態について述べたが、これらは本発明の例示であり、上記以外の様々な構成を採用することもできる。
【００８１】
例えば第１の実施形態において、電力減少時間帯では配電網３００から蓄電池１２０への電力の供給を中断していたが、電力供給を中断する代わりに減らしてもよい。
【００８２】
この出願は、２０１０年１２月２１日に出願された日本出願特願２０１０−２８４９５８号を基礎とする優先権を主張し、その開示の全てをここに取り込む。
【図１】
2012086167.tif 000003
【図２】
2012086167.tif 000004
【図３】
2012086167.tif 000005
【図４】
2012086167.tif 000006
【図５】
2012086167.tif 000007
【図６】
2012086167.tif 000008
【図７】
2012086167.tif 000009
【図８】
2012086167.tif 000010
【図９】
2012086167.tif 000011
【図１０】
2012086167.tif 000012
【図１１】
2012086167.tif 000013
【図１２】
2012086167.tif 000014
【図１３】
2012086167.tif 000015
【国際調査報告】
2012086167.tif 000016
2012086167.tif 000017